(57)【特許請求の範囲】
【請求項１】
盤本体内を複数の機能ユニット室に仕切るように取り付けられた仕切板と、前記仕切板により仕切られた機能ユニット室に収納される機能ユニットと、前記機能ユニット室に配置されたガイドレール部材と、前記機能ユニットの側面部にそれぞれ取り付けられ、前記ガイドレール部材に係合され前記ガイドレール部材にガイドされて前記機能ユニットを着脱および保持するガイド片を有するガイド部材と、前記ガイド部材のいずれか一方の前記盤本体奥部側および前記ガイド部材の他方側の前記盤本体前部側に設けられた振れ止め体とを備えたことを特徴とする配電盤。
【請求項２】
前記機能ユニットの背面部には前記機能ユニットの幅方向中心位置より前記機能ユニットの側面部側に偏心して配置されたグリップ接続体を有し、前記盤本体奥部側に配置された振れ止め体は前記グリップ接続体とは反対側の前記ガイド部材に設けられたことを特徴とする請求項１記載の配電盤。
【請求項３】
前記ガイドレール部材は前記仕切板の下方側に配置され、前記ガイド部材の前記ガイド片は前記機能ユニットの上方側に配置されて前記ガイドレール部材に係合されることを特徴とする請求項１または請求項２に記載の配電盤。
【請求項４】
前記ガイドレール部材は前記仕切板の上方側に配置され、前記ガイド部材の前記ガイド片は前記機能ユニットの下方側に配置されて前記ガイドレール部材に係合されることを特徴とする請求項１または請求項２に記載の配電盤。
【請求項５】
前記ガイドレール部材は前記ガイド片が係合されるガイド溝状部を有することを特徴とする請求項１ないし請求項４のいずれか１項に記載の配電盤。
【発明の詳細な説明】
【技術分野】
【０００１】
この発明は、例えばコントロールセンタなどの機能ユニットを機能ユニット室に収納する配電盤に関し、特に、機能ユニットの保持構造に関するものである。
【背景技術】
【０００２】
一般的に、電力設備あるいはプラント設備などの運転制御はコントロールセンタなど複数の機能ユニットをそれぞれの機能ユニット室に収納する配電盤においては、各機能ユニット間を仕切る仕切板は、各機能ユニット間を仕切って機能ユニット室をコンパートメント化するとともに、機能ユニットはそれぞれ着脱および保持される構造となっている。
【０００３】
従来のコントロールセンタなど複数の制御ユニットとしての機能ユニットを収納する配電盤としては、図９ないし図１２に示すものがある。これら各図において、１は配電盤、２は配線室扉、３は機能ユニット室扉、４は盤本体、５は仕切板、６は機能ユニット室、７は機能ユニット、7ａ，７ｂは機能ユニット側面部、７ｃは機能ユニット背面部、８は
ガイドレール部材、８ａはレール部、８ａ１は折曲部、８ａ２は溝部、９はガイド部材、９ａはスライド部、９ｂはガイド片、１０はグリップ接続体である。
【０００４】
このように構成された従来の配電盤においては、盤本体４に取り付けられた仕切板５の両側端部から下方側にガイドレール部材８が伸長して設けられ、そのガイドレール部材８にはレール部８ａが形成されている。機能ユニット７の両機能ユニット側面部７ａ，７ｂの上方側にはそれぞれガイド部材９が設けられ、そのガイド部材９にはガイドレール部材８のレール部８ａの溝部８ａ２に係合されるガイド片９ｂが形成されている。
【０００５】
機能ユニット７を機能ユニット室６に挿入および抜き出すときは、機能ユニット７の両機能ユニット側面部７ａ，７ｂに設けたガイド部材９のガイド片９ｂを仕切板５の両側端部材に設けたガイドレール部材８のレール部材８ａのガイド溝状部８ａ２に係合させ、機能ユニット７を進退移動させることにより、機能ユニット７を吊り下げた状態で着脱および保持するようにしている。
【先行技術文献】
【特許文献】
【０００６】
【特許文献１】特開昭５８−３３９０８号公報
【発明の概要】
【発明が解決しようとする課題】
【０００７】
上述した従来の配電盤においては、機能ユニット７の機能ユニット背面部７ｃには配電盤内部のグリップ（図示せず）に接続されるグリップ接続体１０が設けられている。機能ユニット７を機能ユニット室６に挿入してグリップ接続体１０を配電盤内部のグリップ（図示せず）に接続することにより機能ユニット７の挿着が完了する。
【０００８】
しかしながら、機能ユニット７の両機能ユニット側面部７ａ，７ｂに設けたガイド部材９のガイド片９ｂとガイドレール部材８との間にはそれぞれ左右方向の隙間がある。しかも、機能ユニット７の機能ユニット背面部７ｃに設けたグリップ接続体１０は図１２に示すように機能ユニット７の幅方向中心より例えば右側、すなわち、機能ユニット側面部７ｂ側に配置されている。このような状態において、機能ユニット７を機能ユニット室６内に挿入していくと、図１２に示すように機能ユニット７は左側に振れて傾いて挿入されてしまい、配電盤側の部品との干渉等が生じる場合がある。すなわち、機能ユニット７の機
能ユニット背面部７ｃに設けたグリップ接続体１０が配電盤内部のグリップ（図示せず）に確実に接続されない場合が生じるという問題点があった。
【０００９】
この発明は上記のような課題を解決するためになされたものであり、機能ユニットを配電盤内部品に影響を及ぼすことなく、確実に挿入することができる配電盤を提供することを目的とする。
【課題を解決するための手段】
【００１０】
この発明に係わる配電盤は、盤本体内を複数の機能ユニット室に仕切るように取り付けられた仕切板と、前記仕切板により仕切られた機能ユニット室に収納される機能ユニットと、前記機能ユニット室に配置されたガイドレール部材と、前記機能ユニットの側面部にそれぞれ取り付けられ、前記ガイドレール部材に係合され前記ガイドレール部材にガイドされて前記機能ユニットを着脱および保持するガイド片を有するガイド部材と、前記ガイド部材のいずれか一方の前記盤本体奥部側および前記ガイド部材の他方側の前記盤本体前部側に設けられた振れ止め体とを備えたものである。
【発明の効果】
【００１１】
この発明に係わる配電盤は、機能ユニットを配電盤内部品に影響を及ぼすことなく、確実に挿入することができる配電盤を得ることができる。
【図面の簡単な説明】
【００１２】
【図１】この発明の実施の形態１に係わる配電盤を示す要部正面図である。
【図２】この発明の実施の形態１に係わる配電盤を示す要部拡大正面図である。
【図３】この発明の実施の形態１に係わる配電盤におけるガイド部材を示す平面図である。
【図４】この発明の実施の形態１に係わる配電盤におけるガイド部材を示す正面図である。
【図５】この発明の実施の形態１に係わる配電盤におけるガイド部材を示す側面図である。
【図６】この発明の実施の形態１に係わる配電盤におけるガイド部材を示す斜視図である。
【図７】この発明の実施の形態１に係わる配電盤を示す要部平面図である。
【図８】この発明の実施の形態２に係わる配電盤を示す要部正面図である。
【００１３】
【図９】従来の配電盤を示す斜視図である。
【図１０】従来の配電盤を示す要部正面図である。
【図１１】従来の配電盤を示す要部拡大正面図である。
【図１２】従来の配電盤を示す要部平面図である。
【発明を実施するための形態】
【００１４】
実施の形態１.
以下、この発明の実施の形態１を図１ないし図７に基づいて説明する。この発明の実施の形態１に係わる配電盤を示す要部正面図である。図２はこの発明の実施の形態１に係わる配電盤を示す要部拡大正面図である。図３はこの発明の実施の形態１に係わる配電盤におけるガイド部材を示す平面図である。図４はこの発明の実施の形態１に係わる配電盤におけるガイド部材を示す正面図である。図５はこの発明の実施の形態１に係わる配電盤におけるガイド部材を示す側面図である。図６はこの発明の実施の形態１に係わる配電盤におけるガイド部材を示す斜視図である。図７はこの発明の実施の形態１に係わる配電盤を示す要部平面図である。
【００１５】
なお、この実施の形態１においても配電盤全体の基本構成は上述した図９に示す構成となる。これら図１〜図７において、４は例えばコントロールセンタなど複数の機能ユニットを収納する配電盤１の盤本体である。
【００１６】
５は盤本体４内を複数の機能ユニット室６に仕切るように取り付けられた機能ユニット室６をコンパートメント化するための仕切板である。７は仕切板５により仕切られて構成された機能ユニット室６に収納される機能ユニットであり、７ａ，７ｂは機能ユニット側面部、７ｃは機能ユニット背面部である。機能ユニット背面部７ｃには機能ユニット７の幅方向中心位置より例えば機能ユニット７の側面部７ｂ側に偏心して配置されたグリップ接続体１０が設けられている。
【００１７】
８は機能ユニット室６に配置、例えば仕切板５の両側部の下方側にそれぞれ取り付けられたレール部８ａを有するガイドレール部材である。このガイドレール部材８のレール部８ａは折曲部８ａ１とガイド溝状部８ａ２とを有しており、後述するガイド部材１１のガイド片１１ｂがガイドレール部材８のガイド溝状部８ａ２に係合される。
【００１８】
１１は機能ユニット７の例えば機能ユニット７の上方側に配置されたガイド部材であり、ガイド部材１１にはガイドレール部材８の折曲部８ａ１上をスライドするスライド部１１ａとスライド部１１ａから下方側に折曲されガイドレール部材８のレール部８ａのガイド溝状部８ａ２係合されるガイド片１１ｂが設けられている。ガイド部材１１のガイド片１１ｂはガイドレール部材８のガイド溝状部８ａ２に係合されて機能ユニット７を着脱および保持するように構成されている。図１に示すように、機能ユニット７は吊り下げられた状態で着脱および保持されるようになっている。
【００１９】
１２はガイド部材１１のいずれか一方の盤本体奥部側およびガイド部材１１の他方側の盤本体前部側に設けられた振れ止め体であり、例えば盤本体奥部側に配置された振れ止め体１２はグリップ接続体１０とは反対側のガイド部材１１に設けられている。すなわち、図７に示すように、機能ユニット７の側面部７ａ側のガイド部材１１の盤本体奥部側に振れ止め体１２が配置されるとともに、機能ユニット７の側面部７ｂ側のガイド部材１１の盤本体前部側に振れ止め体１２が配置される。
【００２０】
なお、図６に示すガイド部材１１は同一のものを使用するものであり、図６に示す状態のガイド部材１１を機能ユニット７の側面部７ｂ側に取り付けることにより振れ止め体１２は盤本体前部側に配置されるとともに、機能ユニット７の側面部７ｂ側に取り付けた振れ止め体１２と１８０度回転配置した状態のガイド部材１１を機能ユニット７の側面部７ａ側に取り付けることにより振れ止め体１２は盤本体奥部側に配置される。
【００２１】
次に動作について説明する。ガイド部材１１が上方側に設けられた機能ユニット７は、所定の機能ユニット室６に収納されるが、機能ユニット７に設けられたガイド部材１１のガイド片１１ｂを仕切板５の下方側に配置されたガイドレール部材８のガイド溝状部８ａ２に係合させ、機能ユニット７を盤内部側にガイドレール部材８のガイド溝状部８ａ２にガイドさせて押し込むことにより装着されて収納されて保持される。
【００２２】
また、機能ユニット７を取り外すときは、機能ユニット７を盤前面側にガイドレール部材８のガイド溝状部８ａ２にガイドさせて引き出すことにより取り出すことができるようになっている。
【００２３】
ところで、上述した従来の配電盤においては、ガイド部材９のガイド片９ｂとガイドレール部材８との間にはそれぞれ左右方向の隙間があるのと、機能ユニット背面部７ｃに設けたグリップ接続体１０は機能ユニット７の幅方向中心より例えば右側、すなわち、機能ユニット側面部７ｂ側に偏心して配置されているので、このような状態で機能ユニット７を機能ユニット室６内に挿入していくと、図１２に示すように機能ユニット７は左側に振れて傾いて挿入されてしまい、配電盤側の部品との干渉等が生じる場合がある。すなわち、機能ユニット７の機能ユニット背面部７ｃに設けたグリップ接続体１０が配電盤内部のグリップ（図示せず）に確実に接続されない場合が生じる。
【００２４】
しかし、この実施の形態１においては、上述した従来のような構成のものではなく、図７に示すように、機能ユニット７の側面部７ａ側のガイド部材１１の盤本体奥部側に振れ止め体１２を配置するとともに、機能ユニット７の側面部７ｂ側のガイド部材１１の盤本体前部側に振れ止め体１２を配置したので、機能ユニット７を機能ユニット室６内に挿入していくとき、機能ユニット７が左側に振れて傾こうとしても、機能ユニット７の側面部７ａ側のガイド部材１１の盤本体奥部側に設けた振れ止め体１２により阻止されるとともに、機能ユニット７の機能ユニット背面部７ｃに設けられたグリップ接続体１０の位置決めもされて機能ユニット７を挿入することができる。
【００２５】
したがって、配電盤側の部品との干渉等を生じることなく機能ユニット７を挿入することができる。すなわち、機能ユニット７の機能ユニット背面部７ｃに設けたグリップ接続体１０を配電盤内部のグリップ（図示せず）に確実に接続することができる。
【００２６】
実施の形態２.
この発明の実施の形態２を図８に基づいて説明する。図８はこの発明の実施の形態２に係わる配電盤を示す要部正面図である。
【００２７】
上述した実施の形態１においては、ガイドレール部材８は仕切板５の下方側に配置され、ガイド部材１１のガイド片１１ｂは機能ユニット７の上方側に配置されてガイドレール部材８のガイド溝状部８ａ２に係合される場合について述べたが、図８に示すように、ガイドレール部材８は仕切板５の上方側に配置され、ガイド部材１１のガイド片１１ｂは機能ユニット７の下方側に配置されてガイドレール部材８のガイド溝状部８ａ２に係合されるようにしてもよく、上述した実施の形態１と同様の効果を奏する。
【００２８】
ところで、上述した各実施の形態において、ガイドレール部材８は仕切板５に設けられた場合について述べたが、これに限定されるものではなく、例えば、盤本体４にガイドレール部材８を設けるようにしてもよく、上述した実施の形態１と同様の効果を奏する。
【産業上の利用可能性】
【００２９】
この発明は、機能ユニットを配電盤内部品に影響を及ぼすことなく、確実に挿入することができる配電盤の実現に好適である。
【符号の説明】
【００３０】
１  配電盤
４  盤本体
５  仕切板
６  機能ユニット室
７  機能ユニット
７ａ  機能ユニット側面部
７ｂ  機能ユニット側面部
７ｃ  機能ユニット背面部
８  ガイドレール部材
８ａ２  ガイド溝状部
１０  グリップ接続体
１１  ガイド部材
１１ｂ  ガイド片
１２  振れ止め体
【図１】
0005432058.tif 000002
【図２】
0005432058.tif 000003
【図３】
0005432058.tif 000004
【図４】
0005432058.tif 000005
【図５】
0005432058.tif 000006
【図６】
0005432058.tif 000007
【図７】
0005432058.tif 000008
【図８】
0005432058.tif 000009
【図９】
0005432058.tif 000010
【図１０】
0005432058.tif 000011
【図１１】
0005432058.tif 000012
【図１２】
0005432058.tif 000013